(57)【要約】【課題】画面上下方向における輝度むらだけでなく、縦クロストークを解消して、表示画像の高画質化を図る。【解決手段】コモン電圧ＬＣＣＯＭが１フィールドごとに０Ｖと５Ｖに反転駆動される際、コモン電圧ＬＣＣＯＭが０Ｖとなる正極性フィールドにおいては、コモン電圧ＬＣＣＯＭよりも十分に低い、例えば−４Ｖのプリチャージ信号を、画素電極への書き込みタイミング前に信号線に書き込み、コモン電圧ＬＣＣＯＭが５Ｖとなる負極性フィールドにおいては、コモン電圧ＬＣＣＯＭの０Ｖ付近のプリチャージ信号を、画素電極への書き込みタイミング前に信号線に書き込む。【選択図】図４
2015072328.tif 000002
【特許請求の範囲】
【請求項１】
複数の走査線と、
複数の信号線と、
前記複数の走査線および前記複数の走査線の交差に各々対応して設けられた画素とを備え、
前記画素は、画素電極と、コモン電極と、前記画素電極および前記コモン電極に挟持された液晶と、前記画素電極と前記信号線との間に設けられ、前記走査線を介して供給される走査信号に基づいてオン状態またはオフ状態の一方に制御されるスッチング素子とを備え、
前記コモン電極に正極性フィールドと負極性フィールドとで反転するコモン電圧を供給するコモン電圧供給部と、
前記走査線に前記走査信号を供給する走査線駆動部と、
表示すべき階調に応じた大きさのデータ電圧を前記画素に前記信号線を介して供給し、前記正極性フィールドでは、前記データ電圧を前記コモン電圧よりも高い電圧値とし、前記負極性フィールドでは、前記データ電圧を前記コモン電圧よりも低い電圧値とする信号線駆動部と、
前記画素電極へ前記データ電圧が書き込まれる前のプリチャージ期間において、前記信号線にプリチャージ電圧を供給し、前記正極性フィールドでは前記プリチャージ電圧を前記コモン電圧よりも低い第１電圧に設定するプリチャージ部と、
を備えることを特徴とする電気光学装置。
【請求項２】
前記プリチャージ部は、前記負極性フィールドでは前記プリチャージ電圧を前記コモン電圧付近の第２電圧に設定することを特徴とする請求項２に記載の電気光学装置。
【請求項３】
前記プリチャージ部は、
前記正極性フィールドの前記プリチャージ期間において、前記プリチャージ電圧を、前記第１電圧から前記データ電圧のダイナミックレンジ内の所定の電圧へ変化させ、
前記負極性フィールドの前記プリチャージ期間において、前記プリチャージ電圧を、前記第２電圧から前記データ電圧のダイナミックレンジ内の所定の電圧へ変化させる、
ことを特徴とする請求項２に記載の電気光学装置。
【請求項４】
前記走査線駆動部は、前記プリチャージ電圧を前記所定の電圧とする期間に、前記スイッチング素子をオン状態とする前記走査信号を前記走査線に供給することを特徴とする請求項３に記載の電気光学装置。
【請求項５】
前記走査線駆動部は、前記プリチャージ期間に、前記スイッチング素子をオン状態とする前記走査信号を前記走査線に供給することを特徴とする請求項３に記載の電気光学装置。
【請求項６】
複数の走査線と、複数の信号線と、前記複数の走査線および前記複数の走査線の交差に各々対応して設けられた画素とを備え、前記画素は、画素電極と、コモン電極と、前記画素電極および前記コモン電極に挟持された液晶と、前記画素電極と前記信号線との間に設けられ、前記走査線を介して供給される走査信号に基づいてオン状態またはオフ状態の一方に制御されるスッチング素子とを備える電気光学装置の制御方法であって、
前記コモン電極に正極性フィールドと負極性フィールドとで反転するコモン電圧を供給し、
前記走査線に前記走査信号を供給し、
表示すべき階調に応じた大きさのデータ電圧を前記画素に前記信号線を介して供給し、前記正極性フィールドでは、前記データ電圧を前記コモン電圧よりも高い電圧値とし、前記負極性フィールドでは、前記データ電圧を前記コモン電圧よりも低い電圧値とし、
前記画素電極へ前記データ電圧が書き込まれる前のプリチャージ期間において、前記信号線にプリチャージ電圧を供給し、前記正極性フィールドでは前記プリチャージ電圧を前記コモン電圧よりも低い第１電圧に設定する、
ことを特徴とする電気光学装置の制御方法。
【請求項７】
複数の走査線と、複数の信号線と、前記複数の走査線および前記複数の走査線の交差に各々対応して設けられた画素とを備え、前記画素は、画素電極と、コモン電極と、前記画素電極および前記コモン電極に挟持された液晶と、前記画素電極と前記信号線との間に設けられ、前記走査線を介して供給される走査信号に基づいてオン状態またはオフ状態の一方に制御されるスッチング素子とを備え、前記コモン電極に正極性フィールドと負極性フィールドとで反転するコモン電圧を供給するコモン電圧供給部と、前記走査線に前記走査信号を供給する走査線駆動部と、を備える電気光学パネルの駆動用集積回路であって、
表示すべき階調に応じた大きさのデータ電圧を前記画素に前記信号線を介して供給し、前記正極性フィールドでは、前記データ電圧を前記コモン電圧よりも高い電圧値とし、前記負極性フィールドでは、前記データ電圧を前記コモン電圧よりも低い電圧値とする信号線駆動部と、
前記画素電極へ前記データ電圧が書き込まれる前のプリチャージ期間において、前記信号線にプリチャージ電圧を供給し、前記正極性フィールドでは前記プリチャージ電圧を前記コモン電圧よりも低い第１電圧に設定するプリチャージ部と、を備える、
ことを特徴とする駆動用集積回路。
【請求項８】
請求項１乃至請求項５のいずれか一に記載の電気光学装置を備えることを特徴とする電子機器。
【発明の詳細な説明】
【技術分野】
【０００１】
本発明は、例えば液晶装置等の電気光学装置の駆動用集積回路及び駆動方法、並びに、当該駆動用集積回路を備える電気光学装置、更に該電気光学装置を備えて構成される例えば液晶プロジェクタ等の電子機器の技術分野に関する。
【背景技術】
【０００２】
この種の電気光学装置では、一対の電極間に画像信号に対応する駆動電圧を印加することによって、電極間に挟持された電気光学物質（例えば、液晶等）を配向制御し、画像表示を行う。駆動電圧は表示画像の焼き付きを防止する或いはフリッカを防止するべく、極性反転しながら印加される。このような極性反転駆動方式の中でも、対向基板側のコモン電極の電位をデータ線に供給される信号に同期して極性反転がなされる駆動方式は、コモン電圧交流反転駆動方式と呼ばれる。このコモン電圧交流反転駆動方式の利点は、データ線に供給される信号の電圧振幅にコモン電極の電圧振幅がバイアスされたものが
液晶層に印加されるので、データ線に供給される信号の最大電圧振幅を小さくすることができる点にある（例えば、特許文献１）。
【０００３】
特許文献１では、コモン電極の電位を反転させた際に、データ線及び画像電極の電位が低下して表示むらが発生するのを防止するために、正極性書き込みと負極性書き込みとで、同じコモン電圧をプリチャージする技術が開示されている。
【先行技術文献】
【特許文献】
【０００４】
【特許文献１】特開２００３−３２３１６０号公報
【発明の概要】
【発明が解決しようとする課題】
【０００５】
しかしながら、コモン電圧交流反転駆動方式に発生する表示むらには、画素電極の電位の変動に起因する、画面上下方向における輝度むらの他に、いわゆる縦クロストークと呼ばれる現象がある。電気光学装置の駆動では、複数の走査線を順番に選択し、選択した走査線に対応する画素回路にデータ線を介して画像信号を書き込む。このため、データ線の電圧は、水平走査期間ごとに変化する。ところで、データ線と液晶素子とは、浮遊容量によって容量結合している。このため、ある走査線に対応する画素回路に画像信号を書き込んでから、次に画像信号を書き込むまでの期間において、データ線の電圧が変動すると、容量カップリングによって液晶素子で保持する画像信号の電圧が変動してしまう。この結果、表示画像の品質が劣化する。特に、コモン電圧交流反転駆動方式を採用する場合に、データ線の電圧が大きく変動するだけでなく、コモン電圧が変動するため、縦クロストークと呼ばれる現象が発生することがある。
【０００６】
本発明は、例えば上記問題点に鑑みてなされたものであり、画面上下方向における輝度むらだけでなく、縦クロストークを解消して、表示画像の高画質化が可能な電気光学装置の駆動装置及び方法、並びに、該駆動装置を備えた電気光学装置、及び該電気光学装置を備えた電子機器を提供することを課題とする。
【課題を解決するための手段】
【０００７】
上記課題を解決するために本発明の電気光学装置の一態様は、複数の走査線と、複数の信号線と、前記複数の走査線および前記複数の走査線の交差に各々対応して設けられた画素とを備え、前記画素は、画素電極と、コモン電極と、前記画素電極および前記コモン電極に挟持された液晶と、前記画素電極と前記信号線との間に設けられ、前記走査線を介して供給される走査信号に基づいてオン状態またはオフ状態の一方に制御されるスッチング素子とを備え、前記コモン電極に正極性フィールドと負極性フィールドとで反転するコモン電圧を供給するコモン電圧供給部と、前記走査線に前記走査信号を供給する走査線駆動部と、表示すべき階調に応じた大きさのデータ電圧を前記画素に前記信号線を介して供給し、前記正極性フィールドでは、前記データ電圧を前記コモン電圧よりも高い電圧値とし、前記負極性フィールドでは、前記データ電圧を前記コモン電圧よりも低い電圧値とする信号線駆動部と、前記画素電極へ前記データ電圧が書き込まれる前のプリチャージ期間において、前記信号線にプリチャージ電圧を供給し、前記正極性フィールドでは前記プリチャージ電圧を前記コモン電圧よりも低い第１電圧に設定するプリチャージ部と、を備えることを特徴とする電気光学装置。
【０００８】
この態様によれば、コモン電極に１フィールドごとに反転するコモン電圧を供給し、信号線にコモン電圧よりも高い電圧値のデータ電圧が書き込まれる正極性フィールドにおいては、画素電極へのデータ電圧の書き込みタイミングの前に、コモン電圧よりも低い第１電圧を信号線にプリチャージする。したがって、反転するコモン電圧の影響で変位する画素電極の電位が、反転後の信号線の電位から受ける影響を少なくして、上下の輝度むらと縦クロストークを解消する。
【０００９】
上述した電気光学装置の一態様において、前記プリチャージ部は、前記負極性フィールドでは前記プリチャージ電圧を前記コモン電圧付近の第２電圧に設定することが好ましい。この態様によれば、信号線にコモン電圧よりも低い電圧値のデータ電圧が書き込まれる負極性フィールドにおいては、画素電極へのデータ電圧の書き込みタイミングの前に、コモン電圧付近の第２電圧を信号線にプリチャージする。したがって、反転するコモン電圧の影響で変位する画素電極の電位が、反転後の信号線の電位から受ける影響を少なくして、上下の輝度むらと縦クロストークを解消する。
【００１０】
上述した電気光学装置の一態様において、前記プリチャージ部は、前記正極性フィールドの前記プリチャージ期間において、前記プリチャージ電圧を、前記第１電圧から前記データ電圧のダイナミックレンジ内の所定の電圧へ変化させ、前記負極性フィールドの前記プリチャージ期間において、前記プリチャージ電圧を、前記第２電圧から前記データ電圧のダイナミックレンジ内の所定の電圧へ変化させることが好ましい。この態様によれば、上下の輝度むらと縦クロストークを解消しつつ、画素電極のデータ電圧の書き込みが容易になる。
【００１１】
上述した電気光学装置の一態様において、前記走査線駆動部は、前記プリチャージ電圧を前記所定の電圧とする期間に、前記スイッチング素子をオン状態とする前記走査信号を前記走査線に供給することが好ましい。この態様によれば、画素における表示の影響を極力小さくしつつ、プリチャージの作用を確実にすることができる。
【００１２】
上述した電気光学装置の一態様において、前記走査線駆動部は、前記プリチャージ期間に、前記スイッチング素子をオン状態とする前記走査信号を前記走査線に供給することが好ましい。この態様によれば、プリチャージの作用を確実にすることができる。
【００１３】
本発明に係る電気光学装置の制御方法の一態様は、複数の走査線と、複数の信号線と、前記複数の走査線および前記複数の走査線の交差に各々対応して設けられた画素とを備え、前記画素は、画素電極と、コモン電極と、前記画素電極および前記コモン電極に挟持された液晶と、前記画素電極と前記信号線との間に設けられ、前記走査線を介して供給される走査信号に基づいてオン状態またはオフ状態の一方に制御されるスッチング素子とを備える電気光学装置の制御方法であって、前記コモン電極に正極性フィールドと負極性フィールドとで反転するコモン電圧を供給し、前記走査線に前記走査信号を供給し、表示すべき階調に応じた大きさのデータ電圧を前記画素に前記信号線を介して供給し、前記正極性フィールドでは、前記データ電圧を前記コモン電圧よりも高い電圧値とし、前記負極性フィールドでは、前記データ電圧を前記コモン電圧よりも低い電圧値とし、前記画素電極へ前記データ電圧が書き込まれる前のプリチャージ期間において、前記信号線にプリチャージ電圧を供給し、前記正極性フィールドでは前記プリチャージ電圧を前記コモン電圧よりも低い第１電圧に設定する、ことを特徴とする。
【００１４】
本発明に係る駆動用集積回路の一態様は、複数の走査線と、複数の信号線と、前記複数の走査線および前記複数の走査線の交差に各々対応して設けられた画素とを備え、前記画素は、画素電極と、コモン電極と、前記画素電極および前記コモン電極に挟持された液晶と、前記画素電極と前記信号線との間に設けられ、前記走査線を介して供給される走査信号に基づいてオン状態またはオフ状態の一方に制御されるスッチング素子とを備え、前記コモン電極に正極性フィールドと負極性フィールドとで反転するコモン電圧を供給するコモン電圧供給部と、前記走査線に前記走査信号を供給する走査線駆動部とを備える電気光学パネルの駆動用集積回路であって、表示すべき階調に応じた大きさのデータ電圧を前記画素に前記信号線を介して供給し、前記正極性フィールドでは、前記データ電圧を前記コモン電圧よりも高い電圧値とし、前記負極性フィールドでは、前記データ電圧を前記コモン電圧よりも低い電圧値とする信号線駆動部と、前記画素電極へ前記データ電圧が書き込まれる前のプリチャージ期間において、前記信号線にプリチャージ電圧を供給し、前記正極性フィールドでは前記プリチャージ電圧を前記コモン電圧よりも低い第１電圧に設定するプリチャージ部とを備えることを特徴とする。
【００１５】
次に、本発明に係る電子機器は、上述した本発明に係る電気光学装置を備える。そのような電子機器は、液晶ディスプレイ等の表示装置において、輝度むらや縦クロストークのない良好な表示を行うことができる。
【図面の簡単な説明】
【００１６】
【図１】本発明の第１実施形態に係る駆動用集積回路を備える電気光学装置の説明図である。
【図２】同実施形態に係る駆動用集積回路を備える電気光学装置の構成を示すブロック図である。
【図３】画素の構成を示す回路図である。
【図４】電気光学装置の動作を示すタイミングチャートである。
【図５】輝度むらを説明する図であり、（Ａ）は輝度むらが発生していない状態を示す図、（Ｂ）は、輝度むらが発生している状態を示す図である。
【図６】縦クロストークを説明する図であり、（Ａ）は縦クロストークが発生していない状態を示す図、（Ｂ）は、縦クロストークが発生している状態を示す図である。
【図７】図５（Ａ）に示す画面を表示させる際のコモン電圧、信号線電圧、画素電圧の変化を示す図である。
【図８】図６（Ａ）に示す画面を表示させる際のコモン電圧、信号線電圧、画素電圧の変化を示す図である。
【図９】本発明の第２実施形態に係る駆動用集積回路を備える電気光学装置の構成を示すブロック図である。
【図１０】変形例に係る電気光学装置の動作を示すタイミングチャートである。
【図１１】変形例に係る電気光学装置の動作を示すタイミングチャートである。
【図１２】変形例に係る電気光学装置の動作を示すタイミングチャートである。
【図１３】電子機器の一例を示す説明図である。
【図１４】電子機器の他の例を示す説明図である。
【発明を実施するための形態】
【００１７】
＜第１実施形態＞
図１は電気光学装置１に対する信号伝送系の構成を示す図である。図１に示すように、電気光学装置１は、電気光学パネル１００と、駆動用集積回路２００と、フレキシブル回路基板３００とを備え、電気光学パネル１００が、駆動用集積回路２００の搭載されたフレキシブル回路基板３００に接続されている。電気光学パネル１００は、このフレキシブル回路基板３００および駆動用集積回路２００を介して、図示しないホストＣＰＵに接続されている。ここで、駆動用集積回路２００は、ホストＣＰＵからフレキシブル回路基板３００を介して画像信号および駆動制御のための各種の制御信号を受信し、フレキシブル回路基板３００を介して電気光学パネル１００を駆動する装置である。
【００１８】
図２は、電気光学パネル１００及び駆動用集積回路２００の構成を示すブロック図である。図２に示すように、電気光学パネル１００は、画素部１０と、走査線駆動部としての走査線駆動回路２２と、Ｊ個のデマルチプレクサー５７[１１]〜５７[Ｊ]とを備えている。駆動用集積回路２００は、信号線駆動部としてのデータ線駆動回路３０と、プリチャージ部としての制御回路４０とを備えている。
【００１９】
画素部１０には、相互に交差するＭ本の走査線１２とＮ本の信号線１４とが形成されている（Ｍ，Ｎは自然数）。複数の画素回路ＰＩＸは、各走査線１２と各信号線１４との交差に対応して設けられており、縦Ｍ行×横Ｎ列の行列状に配列されている。
【００２０】
図３は、各画素回路ＰＩＸの回路図である。図３に示すように、各画素回路ＰＩＸは、液晶素子６０とＴＦＴ等のスイッチング素子ＳWとを含む。液晶素子６０は、相互に対向する画素電極６２およびコモン電極６４と両電極間の液晶６６とで構成された電気光学素子である。画素電極６２とコモン電極６４との間の印加電圧に応じて液晶６６の透過率（表示階調）が変化する。なお、液晶素子６０に並列に補助容量を接続した構成も採用され得る。スイッチング素子ＳWは、例えば、走査線１２にゲートが接続されたＮチャネル型のトランジスターで構成され、液晶素子６０と信号線１４との間に設けられ両者の電気的な接続（導通／絶縁）を制御する。走査信号Ｙ[m]が選択電位に設定されることで第ｍ行の各画素回路ＰＩＸにおけるスイッチング素子ＳWが同時にオン状態に遷移する。
【００２１】
画素回路ＰＩＸに対応する走査線１２が選択され、当該画素回路ＰＩＸのスイッチング素子ＳWがオン状態に制御されたとき、当該画素回路ＰＩＸの液晶素子６０には、信号線１４から当該画素回路ＰＩＸに供給される画像信号Ｄ[n]に応じた電圧が印加され、当該画素回路ＰＩＸの液晶６６は、画像信号Ｄ[n]に応じた透過率に設定される。また、図示しない光源がオン（点灯）状態となり、光源から光が出射されると、当該光は、画素回路ＰＩＸが備える液晶素子６０の液晶６６を透過して、観察者側に進行する。すなわち、液晶素子６０に画像信号Ｄ[n]に応じた電圧が印加され、且つ、光源がオン状態となることで、当該画素回路ＰＩＸに対応する画素は、画像信号Ｄ[n]に応じた階調を表示することになる。
【００２２】
画素回路ＰＩＸの液晶素子６０に画像信号Ｄ[n]に応じた電圧が印加された後、スイッチング素子ＳWがオフ状態となると、理想的には当該画像信号Ｄ[n]に対応する印加電圧が保持される。従って、理想的には、各画素は、スイッチング素子ＳWがオン状態となった後から、次にオン状態となるまでの期間において、画像信号Ｄ[n]に応じた階調を表示する。
【００２３】
しかし、スイッチング素子SWのオフ抵抗が低いために、液晶素子６０の印加電圧と信号線１４の印加電圧との間の差が大きい場合には、オフ状態のスイッチング素子SWのリーク電流が発生し、液晶素子６０の印加電圧が変動することがある。また、図３に示すように、信号線１４と画素電極６２との間（または、信号線１４と、画素電極６２及びスイッチング素子ＳWを電気的に接続する配線との間）には、容量Ｃａが寄生する。そのため、スイッチング素子ＳWがオフ状態である間に、信号線１４の電位変動が容量Ｃａを介して画素電極６２に伝播し、液晶素子６０の印加電圧が変動することがある。これらの場合には、当該画素は、画像信号Ｄ[n]に応じた階調を正確に表示できなくなる。
【００２４】
また、コモン電極６４には、図示しないコモン線を介して、１Ｆ周期ごとに極性が反転するコモン電圧ＬＣＣＯＭが供給される。コモン電圧ＬＣＣＯＭとしては、画像信号の振幅が０〜５Ｖの場合には、同じ振幅の０〜５Ｖの交流電圧が用いられる。なお、スイッチング素子ＳWの特性によって各画素の保持電圧が下がる場合があるので、コモン電圧ＬＣＣＯＭとしては、画像信号の振幅よりも若干低い電圧に設定するようにしてもよい。
【００２５】
なお、以下の説明では便宜的に、画素電極６２がコモン電極６４と比較して高電位である場合の液晶素子６０の印加電圧を正極性と表記し、画素電極６２が低電位である場合の印加電圧を負極性と表記する。
【００２６】
説明を図２に戻す。制御回路４０は、図示しない外部の装置より入力される垂直同期信号Ｖｓ、水平同期信号Ｈｓ、ドットクロック信号ＤＣＬＫ等の外部信号に基づいて、走査線駆動回路２２、データ線駆動回路３０を同期制御する。この同期制御の下、走査線駆動回路２２及びデータ線駆動回路３０は、互いに協働して画素部１０の表示制御を行う。
【００２７】
走査線駆動回路２２は、走査信号Ｇ［１］〜Ｇ［Ｍ］をＭ本の走査線１２の各々に出力する。走査線駆動回路２２は、制御回路４０から水平同期信号Ｈｓが出力されるのに応じて、各走査線１２に対する走査信号Ｇ［１］〜Ｇ［Ｍ］を一水平走査期間Ｈずつ順次アクティブレベルとする。
【００２８】
ここで、第ｍ行に対応した走査信号Ｇ［ｍ］がアクティブレベルであり、当該行に対応した走査線が選択されている期間は、第ｍ行のＮ個の画素回路ＰＩＸの各スイッチング素子ＳWがＯＮ状態となり、これらのスイッチング素子ＳWを各々介してＮ本の信号線１４が第ｍ行のＮ個の画素回路ＰＩＸの各画素電極６２に各々接続される。
【００２９】
画素部１０内のＮ本の信号線１４は、相隣接する４本を単位としてＪ個の配線ブロックＢ［１］〜Ｂ［Ｊ］に区分されている（Ｊ＝Ｎ／４）。デマルチプレクサー５７[１１]〜５７[Ｊ]は、このＪ個の配線ブロックＢ［１］〜Ｂ［Ｊ］に各々対応している。
【００３０】
デマルチプレクサー５７［ｊ］（ｊ＝１〜Ｊ）の各々は、４個のスイッチ５８［１］〜５８［４］により構成されている。デマルチプレクサー５７［ｊ］（ｊ＝１〜Ｊ）の各々において、４個のスイッチ５８［１］〜５８［４］の各々の一方の接点は共通接続されている。そして、デマルチプレクサー５７［ｊ］（ｊ＝１〜Ｊ）の各々の４個のスイッチ５８［１］〜５８［４］の一方の接点の共通接続点は、Ｊ本の信号線１５に各々接続されている。このＪ本の信号線１５は、フレキシブル回路基板３００を介して駆動用集積回路２００のデータ線駆動回路３０に接続されている。また、デマルチプレクサー５７［ｊ］（ｊ＝１〜Ｊ）の各々において、４個のスイッチ５８［１］〜５８［４］の各々の他方の接点は、当該デマルチプレクサー５７［ｊ］に対応した配線ブロックＢ［ｊ］を構成する４本の信号線１４に各々接続されている。
【００３１】
各デマルチプレクサー５７［ｊ］（ｊ＝１〜Ｊ）の４個のスイッチ５８［１］〜５８［４］のＯＮ／ＯＦＦは、４個の選択信号Ｓ１〜Ｓ４により各々切り換えられる。この４個の選択信号Ｓ１〜Ｓ４は、フレキシブル回路基板３００を介して駆動用集積回路２００の制御回路４０から供給される。ここで、例えば１個の選択信号Ｓ１がアクティブレベル、他の３個の選択信号Ｓ２〜Ｓ４が非アクティブレベルである場合には、デマルチプレクサー５７［ｊ］（ｊ＝１〜Ｊ）に各々属するＪ個のスイッチ５８［１］のみがＯＮとなる。従って、デマルチプレクサー５７［ｊ］（ｊ＝１〜Ｊ）の各々は、Ｊ本の信号線１５上の画像信号Ｄ［１］〜Ｄ［Ｊ］を各配線ブロックＢ[１]〜Ｂ[Ｊ]の１番目の信号線１４に各々出力する。以下、同様にして、Ｊ本の信号線１５上の画像信号Ｄ［１］〜Ｄ［Ｊ］を各配線ブロックＢ[１]〜Ｂ[Ｊ]の２番目、３番目、４番目の信号線１４に各々出力する。
【００３２】
制御回路４０は、フレームメモリを備えており、画素部１０の解像度に相当するＭ×Ｎビットのメモリ空間を少なくとも有し、外部の装置から入力される表示データをフレーム単位で格納・保持する。ここで、画素部１０の階調を規定する表示データは、一例として、６ビットで構成される６４階調データである。フレームメモリより読み出された表示データは、６ビットのバスを介して、表示データ信号としてデータ線駆動回路３０にシリアルに転送される。なお、この表示データ信号には、後述するプリチャージ信号も含まれている。
【００３３】
データ線駆動回路３０は、走査線駆動回路２２と協働して、データの書込対象となる画素行毎に供給すべきデータを信号線１４に出力する。データ線駆動回路３０は、制御回路４０から出力される選択信号Ｓ１〜Ｓ４に基づいてラッチ信号を生成し、シリアルデータとして供給されたＮ個の６ビットの表示データ信号を順次ラッチする。表示データ信号は、４画素分ごとに時系列的なデータとしてグループ化される。また、データ線駆動回路３０には、Ｄ／Ａ（Digital to Analog）変換回路が備えられており、グループ化されたデジタルデータをＤ／Ａ変換し、アナログデータとしての電圧を生成する。これにより、プリチャージ信号は所定のプリチャージ電圧Ｖｐｒｅに変換され、４画素単位で時系列化された表示データ信号も所定のデータ電圧に変換される。そして、プリチャージ電圧と４画素分のデータ電圧とのセットは、この順序で各信号線１５に供給される。
【００３４】
デマルチプレクサー５７［ｊ］（ｊ＝１〜Ｊ）の各スイッチ５８［１］〜５８［４］は、制御回路４０から出力される選択信号Ｓ１〜Ｓ４によって導通制御され、所定のタイミングでオンしていく。これによって、１Ｈにおいて、各信号線１５に供給されたプリチャージ電圧と４画素分のデータ電圧とのセットは、スイッチ５８［１］〜５８［４］により時系列的に信号線１４に出力される。
以上が電気光学装置１の構成である。
【００３５】
図４に駆動用集積回路２００のタイミングチャートを示す。制御回路４０に外部の装置から水平同期信号Ｈｓが入力されると、制御回路４０は水平同期信号Ｈｓに同期させて走査線駆動回路２２を駆動する。走査線駆動回路２２は、各走査線１２に対する走査信号Ｇ［１］〜Ｇ［Ｍ］を一水平走査期間Ｈずつ順次アクティブレベルとする。制御回路４０は、水平同期信号Ｈｓに同期させて選択信号Ｓ１〜Ｓ４をデータ線駆動回路３０と各デマルチプレクサー５７［ｊ］（ｊ＝１〜Ｊ）の４個のスイッチ５８［１］〜５８［４］に出力する。データ線駆動回路３０は、選択信号Ｓ１〜Ｓ４に基づいて、プリチャージ信号を含む表示データ信号をラッチし、画像Ｄ[１]〜Ｄ[j]を生成して、データ線駆動回路３０の出力端子ｄ１〜ｄjから信号線１５に画像Ｄ[１]〜Ｄ[j]を出力する。各デマルチプレクサー５７［ｊ］（ｊ＝１〜Ｊ）の４個のスイッチ５８［１］〜５８［４］は、選択信号Ｓ１〜Ｓ４に基づいてＯＮ／ＯＦＦされ、プリチャージ信号を含む画像信号Ｄ[１]〜Ｄ[j]が信号線１４に各々出力される。
【００３６】
一方、各画素回路ＰＩＸのコモン電極６４には、図示しないコモン線を介して、１Ｆ周期ごとに極性が反転するコモン電圧ＬＣＣＯＭが供給される。本実施形態では、画像信号が０〜５Ｖの振幅を有しているので、コモン電圧ＬＣＣＯＭにも０〜５Ｖの振幅の交流電圧が用いられる。
【００３７】
図４に示す例では、最初の垂直同期信号Ｖｓに同期して、コモン電圧ＬＣＣＯＭは、５Ｖから０Ｖに反転し、最初の１Ｆの期間において０Ｖを維持する。また、最初の水平同期信号Ｈｓに同期して、制御回路４０から選択信号Ｓ１〜Ｓ４が順次出力され、データ線駆動回路３０から画像信号Ｄ[１]〜Ｄ[j]が出力されるが、データ線駆動回路３０からは、画像信号Ｄ[１]〜Ｄ[j]に先行してプリチャージ信号が出力される。本実施形態では、コモン電圧ＬＣＣＯＭが０Ｖの場合には、−４Ｖのプリチャージ信号が出力される。その結果、画像信号Ｄ[１]〜Ｄ[j]が各信号線１４に書き込まれ、画素電極６２に書き込まれる前に、−４Ｖのプリチャージ信号が各信号線１４に書き込まれることになる。以下同様にしても、各水平同期信号Ｈｓに同期して、−４Ｖのプリチャージ信号と画像信号Ｄ[１]〜Ｄ[j]が各信号線１４に書き込まれる。
【００３８】
次に、垂直同期信号Ｖｓに同期して、コモン電圧ＬＣＣＯＭは、０Ｖから５Ｖに反転し、１Ｆの期間において５Ｖを維持する。この１Ｆの期間における最初の水平同期信号Ｈｓに同期して、制御回路４０から選択信号Ｓ１〜Ｓ４が順次出力され、データ線駆動回路３０から画像信号Ｄ[１]〜Ｄ[j]が出力されるが、データ線駆動回路３０からは、画像信号Ｄ[１]〜Ｄ[j]に先行してプリチャージ信号が出力される。本実施形態では、コモン電圧ＬＣＣＯＭが５Ｖの場合には、０Ｖのプリチャージ信号が出力される。その結果、画像信号Ｄ[１]〜Ｄ[j]が各信号線１４に書き込まれ、画素電極６２に書き込まれる前に、０Ｖのプリチャージ信号が各信号線１４に書き込まれることになる。以下同様にしても、各水平同期信号Ｈｓに同期して、０Ｖのプリチャージ信号と画像信号Ｄ[１]〜Ｄ[j]が各信号線１４に書き込まれる。
【００３９】
本実施形態においては、以上のように、コモン電圧ＬＣＣＯＭが０Ｖの期間においては、−４Ｖのプリチャージ信号を信号線１４に供給し、コモン電圧ＬＣＣＯＭが５Ｖの期間においては、０Ｖのプリチャージ信号を信号線１４に供給することにより、画素部１０における表示領域の上下方向における輝度むらを防止すると共に、縦クロストークを防止することができる。
【００４０】
以下、本実施形態のプリチャージ信号による輝度むらの防止と縦クロストークの防止について詳しく説明する。
【００４１】
（上下輝度むらの防止）
まず、図５および図７を用いて、輝度むらの防止について説明する。なお、図５および図７では、電気光学装置１が、液晶素子６０に電圧が印加されていない状態において画素が黒表示となるノーマリーブラックモードである場合を想定する。
【００４２】
（負極性フィールド）
まず、画像信号の電圧をコモン電圧ＬＣＣＯＭよりも低い電圧値とする負極性フィールドについて説明する。負極性フィールドにおいて、電気光学装置１の画素部１０に、図５（Ａ）に示すように全体が白色の画像を表示させる場合には、図７に示すようにタイミングｔ０でコモン電圧ＬＣＣＯＭが０Ｖから５Ｖに切り替わると、信号線１４には０Ｖの画像信号が書き込まれ、これに同期して走査信号Ｇ［１］〜Ｇ［Ｍ］が、画素部１０の最上部にある走査線１２から最下部にある走査線１２までに順次書き込まれると、各々の画素電極６２に０Ｖの画像信号が書き込まれる。しかしながら、信号線１４に対するプリチャージ信号の書き込みを行わない場合には、画素のスイッチング素子SWのリーク電流が主な原因となって、画素の保持電圧が低下する。
【００４３】
一例として、図５（Ｂ）に示すように、画素部１０の最上部から少し下がったａ部の位置の画素電圧と、画素部１０の最下部から少し上がったｂ部の位置の画素電圧の変化について説明する。本実施形態では、ノーマリーブラックモードにおいて白色の画像を表示させる場合に、画素の保持電圧（絶対値）として５Ｖが必要であるとする。図７に示すように、タイミングｔ０でコモン電圧ＬＣＣＯＭが０Ｖから５Ｖに切り替わると、ａ部の画素電圧は、画素の保持電圧（絶対値）である５Ｖを保持するために、１０Ｖに変化する。
【００４４】
そして、タイミングｔ１において、ａ部の画素に対応する走査線１２をアクティブ状態とする走査信号の書き込みが行なわれると、ａ部の画素に対応する信号線１４ａには０Ｖの画像信号が書き込まれているので、ａ部の画素電圧は０Ｖとなる。このようにａ部の画素電圧は０Ｖになった後も、ａ部の画素に対応する信号線１４ａには、１フィールドの期間内において０Ｖが印加ており、ａ部の画素電圧とａ部の画素に対応する信号線１４ａに書き込まれている電圧との差は殆どなく、ａ部の画素のスイッチング素子SWのリーク電流によるａ部の画素電圧の低下は殆どない。
【００４５】
一方、ｂ部の画素電圧は、図７に示すように、タイミングｔ０でコモン電圧ＬＣＣＯＭが０Ｖから５Ｖに切り替わると、画素の保持電圧（絶対値）である５Ｖを保持するために、１０Ｖに変化する。ｂ部の位置は、画素部１０の最下部から少し上がった位置なので、タイミングｔ４にて、ｂ部の画素に対応する走査線１２をアクティブ状態とする走査信号の書き込みが行われるまで、ｂ部の画素電圧は１０Ｖを維持することになる。
【００４６】
しかしながら、ｂ部の画素電圧が１０Ｖであるのに対し、ｂ部の画素に対応する信号線１４ａには０Ｖの画像信号が書き込まれているので、信号線１４ａに印加される電圧と、ｂ部の画素電圧との差が大きくなり、オフ状態となっているｂ部の画素のスイッチング素子SWにはリーク電流が発生し、ｂ部の画素電圧の低下が大きくなり、白色の画像を表示させるために必要な画素の保持電圧（絶対値）を保てなくなる。その結果、図５（Ｂ）に示すようにｂ部の画素の輝度は低下してしまう。このように、プリチャージ信号を印加しない場合には、上下方向における輝度むらが発生してしまう。
【００４７】
したがって、０Ｖより高く、例えば３Ｖのプリチャージ信号を、１Ｈｓの期間ごとに全ての信号線１４に印加すると、ｂ部の画素に対応する信号線１４ａの電圧と、ｂ部の画素電圧との差が小さくなり、ｂ部の画素のスイッチング素子SWにおけるリーク電流の発生を抑えることができ、上下方向における輝度むらを防止することができる。
【００４８】
（正極性フィールド）
次に、画像信号の電圧をコモン電圧ＬＣＣＯＭよりも高い電圧値とする正極性フィールドについて説明する。正極性フィールドにおいて、電気光学装置１の画素部１０に、図５（Ａ）に示すように全体が白色の画像を表示させる場合には、図７に示すようにタイミングｔ５でコモン電圧ＬＣＣＯＭが５Ｖから０Ｖに切り替わると、信号線１４には５Ｖの画像信号が書き込まれ、これに同期して走査信号Ｇ［１］〜Ｇ［Ｍ］が、画素部１０の最上部にある走査線１２から最下部にある走査線１２までに順次書き込まれると、各々の画素電極６２に０Ｖの画像信号が書き込まれる。しかしながら、信号線１４に対するプリチャージ信号の書き込みを行わない場合には、画素のスイッチング素子SWのリーク電流が主な原因となって、画素の保持電圧が低下する。
【００４９】
図７に示すように、タイミングｔ５でコモン電圧ＬＣＣＯＭが５Ｖから０Ｖに切り替わると、ａ部の画素電圧は、画素の保持電圧（絶対値）である５Ｖを保持するために、−５Ｖに変化する。そして、タイミングｔ６において、ａ部の画素に対応する走査線１２をアクティブ状態とする走査信号の書き込みが行なわれると、ａ部の画素に対応する信号線１４ａには５Ｖの画像信号が書き込まれているので、ａ部の画素電圧は５Ｖとなる。このようにａ部の画素電圧は５Ｖになった後も、ａ部の画素に対応する信号線１４ａには、１フィールドの期間内において５Ｖが印加されており、ａ部の画素電圧とａ部の画素に対応する信号線１４ａに書き込まれている電圧との差は殆どなく、ａ部の画素のスイッチング素子SWのリーク電流によるａ部の画素電圧の低下は殆どない。
【００５０】
一方、ｂ部の画素電圧は、図７に示すように、タイミングｔ５でコモン電圧ＬＣＣＯＭが５Ｖから０Ｖに切り替わると、画素の保持電圧（絶対値）である５Ｖを保持するために、−５Ｖに変化する。ｂ部の位置は、画素部１０の最下部から少し上がった位置なので、タイミングｔ９にて、ｂ部の画素に対応する走査線１２をアクティブ状態とする走査信号の書き込みが行われるまで、ｂ部の画素電圧は−５Ｖを維持することになる。
【００５１】
しかしながら、ｂ部の画素電圧が−５Ｖであるのに対し、ｂ部の画素に対応する信号線１４ａには５Ｖの画像信号が書き込まれているので、信号線１４ａに印加される電圧と、ｂ部の画素電圧との差が大きくなり、オフ状態となっているｂ部の画素のスイッチング素子SWにはリーク電流が発生し、ｂ部の画素電圧の低下が大きくなり、白色の画像を表示させるために必要な画素の保持電圧（絶対値）を保てなくなる。その結果、図５（Ｂ）に示すようにｂ部の画素の輝度は低下してしまう。このように、プリチャージ信号を印加しない場合には、上下方向における輝度むらが発生してしまう。
【００５２】
したがって、約−４Ｖのプリチャージ信号を、１Ｈｓの期間ごとに全ての信号線１４に印加すると、ｂ部の画素に対応する信号線１４ａの電圧と、ｂ部の画素電圧との差が小さくなり、ｂ部の画素のスイッチング素子SWにおけるリーク電流は小さくなる。一方、約−４Ｖのプリチャージ信号を信号線１４ａに印加すると、信号線１４ａの電圧とａ部の画素電圧との差が大きくなり、ａ部の画素のスイッチング素子SWにおけるリーク電流は大きくなる。つまり、ａ部の画素のスイッチング素子SWにおけるリーク電流は大きくなり、ｂ部の画素のスイッチング素子SWにおけるリーク電流は小さくなるため、全体として、上下方向における輝度むらを防止することができる。
【００５３】
（縦クロストークの防止）
次に、本実施形態に係る電気光学装置１における縦クロストークの防止について図６および図８を参照しつつ説明する。なお、図６および図８では、電気光学装置１が、液晶素子６０に電圧が印加されていない状態において画素が黒表示となるノーマリーブラックモードである場合を想定する。
【００５４】
（負極性フィールド）
まず、画像信号の電圧をコモン電圧ＬＣＣＯＭよりも低い電圧値とする負極性フィールドについて説明する。負極性フィールドにおいて、電気光学装置１の画素部１０に、図６（Ａ）に示すような、白色の背景Ａｒ１の中に黒色のウインドウＡｒ２を表した画像を表示させる場合には、図８に示すようにタイミングｔ０でコモン電圧ＬＣＣＯＭが０Ｖから５Ｖに切り替わると、タイミングｔ２までは信号線１４には０Ｖの画像信号が書き込まれ、これに同期して走査信号Ｇ［１］〜Ｇ［Ｍ］が、画素部１０の最上部にある走査線１２から順次アクティブ状態になると、タイミングｔ２までは各々の画素電極６２に０Ｖの画像信号が書き込まれる。また、タイミングｔ２からタイミングｔ３までは信号線１４には５Ｖの画像信号が書き込まれ、各々の画素電極６２に５Ｖの画像信号が書き込まれる。そして、タイミングｔ３からタイミングｔ５までは信号線１４には０Ｖの画像信号が書き込まれ、各々の画素電極６２に０Ｖの画像信号が書き込まれる。しかしながら、信号線１４に対するプリチャージ信号の書き込みを行わない場合には、画素のスイッチング素子SWのリーク電流が主な原因となって、画素の保持電圧が低下する。
【００５５】
一例として、図６（Ｂ）に示すように、黒色のウインドウＡｒ２を含む領域において画素部１０の最上部から少し下がったａ部の位置の画素電圧と、画素部１０の最下部から少し上がったｂ部の位置の画素電圧の変化について説明する。また、比較のために、黒色のウインドウＡｒ２を含まない領域においてａ部の位置に対応するｃ部の位置の画素電圧、および、ｂ部の位置に対応するｄ部の位置の画素電圧についても参照する。
【００５６】
本実施形態では、ノーマリーブラックモードにおいて白色の画像を表示させる場合に、画素の保持電圧（絶対値）として５Ｖが必要であるとする。図８に示すように、タイミングｔ０でコモン電圧ＬＣＣＯＭが０Ｖから５Ｖに切り替わると、ａ部の画素電圧は、画素の保持電圧（絶対値）である５Ｖを保持するために、１０Ｖに変化する。
【００５７】
そして、タイミングｔ１において、ａ部の画素に対応する走査線１２をアクティブ状態とする走査信号の書き込みが行なわれると、ａ部の画素に対応する信号線１４ａには０Ｖの画像信号が書き込まれているので、ａ部の画素電圧は０Ｖとなる。
【００５８】
同様に、タイミングｔ０でコモン電圧ＬＣＣＯＭが０Ｖから５Ｖに切り替わると、ｃ部の画素電圧も、画素の保持電圧（絶対値）である５Ｖを保持するために、１０Ｖに変化する。そして、タイミングｔ１において、c部の画素に対応する走査線１２をアクティブ状態とする走査信号の書き込みが行なわれると、c部の画素に対応する信号線１４ｂには０Ｖの画像信号が書き込まれているので、ｃ部の画素電圧は０Ｖとなる。その後、１フィールドの期間内において、ｃ部の画素電圧は０Ｖを維持する。
【００５９】
また、ａ部の画素電圧も１フィールドの期間内において０Ｖを維持することになるが、黒色のウインドウＡｒ２を含む領域においては、黒色のウインドウＡｒ２を表示するために、タイミングｔ２でａ部の画素に対応する信号線１４ａに５Ｖが書き込まれる。その結果、ａ部の画素電圧とａ部の画素に対応する信号線１４ａに書き込まれている電圧との差が大きくなり、ａ部の画素のスイッチング素子SWにおけるリーク電流が発生し、ａ部の画素電圧が低下する。
【００６０】
一方、ａ部の画素と対比されるｃ部の画素においては、ｃ部の画素に対応する信号線１４ｂに５Ｖが書き込まれることがなく０Ｖのままなので、ｃ部の画素電圧とｃ部の画素に対応する信号線１４ｂに書き込まれている電圧との差は殆どなく、ｃ部の画素のスイッチング素子SWにおけるリーク電流が発生することがない。つまり、ｃ部の画素電圧は低下しない。
【００６１】
したがって、ａ部の画素とｃ部の画素とを比較すると、ｃ部の画素は白色を維持しているが、ａ部の画素が含まれる領域Ａｒ１ａはｃ部の画素を含む領域よりも暗い色になってしまう。
【００６２】
また、ｂ部の画素電圧は、図８に示すように、タイミングｔ０でコモン電圧ＬＣＣＯＭが０Ｖから５Ｖに切り替わると、画素の保持電圧（絶対値）である５Ｖを保持するために、１０Ｖに変化する。ｂ部の位置は、画素部１０の最下部から少し上がった位置なので、タイミングｔ４にて、ｂ部の画素に対応する走査線１２をアクティブ状態とする走査信号の書き込みが行われるまで、ｂ部の画素電圧は１０Ｖを維持することになる。
【００６３】
同様に、ｂ部の画素に対応するｄ部の画素の電圧も、図８に示すように、タイミングｔ０でコモン電圧ＬＣＣＯＭが０Ｖから５Ｖに切り替わると、画素の保持電圧（絶対値）である５Ｖを保持するために、１０Ｖに変化する。ｄ部の位置もｂ部の位置と同様に、画素部１０の最下部から少し上がった位置なので、タイミングｔ４にて、ｄ部の画素に対応する走査線１２をアクティブ状態とする走査信号の書き込みが行われるまで、ｄ部の画素電圧は１０Ｖを維持することになる。
【００６４】
しかしながら、ｂ部の画素に対応する信号線１４ｂには、タイミングｔ１からタイミングｔ２まで、および、タイミングｔ３からタイミングｔ５までは０Ｖが書き込まれ、タイミングｔ２からタイミングｔ３までは、黒色のウインドウＡｒ２を表示するために、５Ｖが書き込まれる。その結果、ｂ部の画素電圧とｂ部の画素に対応する信号線１４ｂに書き込まれている電圧との差は、タイミングｔ１からタイミングｔ２まで、および、タイミングｔ３からタイミングｔ５までは１０Ｖとなり、タイミングｔ２からタイミングｔ３までは、５Ｖとなる。その結果、ｂ部の画素のスイッチング素子SWにおけるリーク電流が発生し、ｂ部の画素電圧は低下する。
【００６５】
一方、ｂ部の画素に対応するｄ部の画素の電圧は、ｄ部の画素に対応する信号線１４ｂに０Ｖが書き込まれているため、ｄ部の画素電圧とｄ部の画素に対応する信号線１４ｂに書き込まれている電圧との差が大きくなり、ｄ部の画素のスイッチング素子SWにおけるリーク電流が発生し、ｄ部の画素電圧が低下する。
【００６６】
ここで、ｂ部の画素とｄ部の画素を比較すると、ｂ部の画素に対応する信号線１４ａには、タイミングｔ２からタイミングｔ３の期間、５Ｖの電圧が印加されるので、この期間におけるｂ部の画素電圧とｂ部の画素に対応する信号線１４ａとの電圧差は、ｄ部の画素電圧とｄ部の画素に対応する信号線１４ｂとの電圧差よりも小さくなる。したがって、１フィールド期間を考えると、全体としては、ｂ部の画素におけるリーク電流よりも、ｄ部の画素におけるリーク電流の方が大きくなり、ｄ部の画素電圧がｂ部の画素電圧よりも低くなり、ｄ部の画素が含まれる領域は、ｂ部の画素が含まれる領域Ａｒ１ｂに比べて暗い色になる。
【００６７】
以上のように、プリチャージ信号を印加しない場合には、ａ部の画素とｂ部の画素を含む縦のラインと、ｃ部の画素とｄ部の画素を含む縦のラインとを比べると、互いに対比されるａ部の画素とｃ部の画素との間、および、ｂ部の画素とｄ部の画素との間に、輝度差が生じることになり、いわゆる縦クロストークが生じてしまう。
【００６８】
そこで、０Ｖ付近の電圧のプリチャージ信号を１Ｈｓの期間ごとに信号線１４に印加すると、信号線１４に対してタイミングｔ２において５Ｖの電圧が書き込まれた場合でも、ａ部の画素に対応する信号線１４ａの電圧と、ａ部の画素電圧との差が小さくなり、ａ部の画素のスイッチング素子SWにおけるリーク電流が減少する。その結果、ａ部の画素とｃ部の画素との輝度差が減少する。また、０Ｖ付近の電圧のプリチャージ信号を信号線１４に印加すると、ｂ部の画素に対応する信号線１４ａの電圧と、ｂ部の画素電圧との差が大きくなり、ｂ部の画素のスイッチング素子SWにおけるリーク電流が増加する。その結果、ｂ部の画素とｄ部の画素との輝度差が減少する。このように、０Ｖ付近の電圧のプリチャージ信号を１Ｈｓの期間ごとに信号線１４に印加すると、縦クロストークの発生を防止することができる。
【００６９】
（正極性フィールド）
次に、正極性フィールドについて説明する。正極性フィールドにおいて、電気光学装置１の画素部１０に、図６（Ａ）に示すように白色の背景Ａｒ１の中に黒色のウインドウＡｒ２を表した画像を表示させる場合には、図８に示すようにタイミングｔ５でコモン電圧ＬＣＣＯＭが５Ｖから０Ｖに切り替わると、タイミングｔ７までは信号線１４には５Ｖの画像信号が書き込まれ、これに同期して走査信号Ｇ［１］〜Ｇ［Ｍ］が、画素部１０の最上部にある走査線１２から順次アクティブ状態になると、タイミングｔ７までは各々の画素電極６２に５Ｖの画像信号が書き込まれる。また、タイミングｔ７からタイミングｔ８までは信号線１４には０Ｖの画像信号が書き込まれ、各々の画素電極６２に０Ｖの画像信号が書き込まれる。そして、タイミングｔ８からタイミングｔ１０までは信号線１４には５Ｖの画像信号が書き込まれ、各々の画素電極６２に５Ｖの画像信号が書き込まれる。しかしながら、信号線１４に対するプリチャージ信号の書き込みを行わない場合には、画素のスイッチング素子SWのリーク電流が主な原因となって、画素の保持電圧が低下する。
【００７０】
負極性フィールドの場合と同様に、図６（Ｂ）に示すように、黒色のウインドウＡｒ２を含む領域において画素部１０の最上部から少し下がったａ部の位置の画素電圧と、画素部１０の最下部から少し上がったｂ部の位置の画素電圧の変化について説明する。また、比較のために、黒色のウインドウＡｒ２を含まない領域においてａ部の位置に対応するｃ部の位置の画素電圧、および、ｂ部の位置に対応するｄ部の位置の画素電圧についても参照する。
【００７１】
本実施形態では、ノーマリーブラックモードにおいて白色の画像を表示させる場合に、画素の保持電圧（絶対値）として５Ｖが必要であるとする。図８に示すように、タイミングｔ５でコモン電圧ＬＣＣＯＭが５Ｖから０Ｖに切り替わると、ａ部の画素電圧は、画素の保持電圧（絶対値）である５Ｖを保持するために、−５Ｖに変化する。
【００７２】
そして、タイミングｔ６において、ａ部の画素に対応する走査線１２をアクティブ状態とする走査信号の書き込みが行なわれると、ａ部の画素に対応する信号線１４ａには５Ｖの画像信号が書き込まれているので、ａ部の画素電圧は５Ｖとなる。
【００７３】
同様に、タイミングｔ０でコモン電圧ＬＣＣＯＭが５Ｖから０Ｖに切り替わると、ｃ部の画素電圧も、画素の保持電圧（絶対値）である５Ｖを保持するために、−５Ｖに変化する。そして、タイミングｔ６において、c部の画素に対応する走査線１２をアクティブ状態とする走査信号の書き込みが行なわれると、c部の画素に対応する信号線１４ｂには５Ｖの画像信号が書き込まれているので、ｃ部の画素電圧は５Ｖとなる。その後、１フィールドの期間内において、ｃ部の画素電圧は５Ｖを維持する。
【００７４】
また、ａ部の画素電圧も１フィールドの期間内において５Ｖを維持することになるが、黒色のウインドウＡｒ２を含む領域においては、黒色のウインドウＡｒ２を表示するために、タイミングｔ７でａ部の画素に対応する信号線１４ａに０Ｖが書き込まれる。その結果、ａ部の画素電圧とａ部の画素に対応する信号線１４ａに書き込まれている電圧との差が大きくなり、ａ部の画素のスイッチング素子SWにおけるリーク電流が発生し、ａ部の画素電圧が低下する。
【００７５】
一方、ａ部の画素と対比されるｃ部の画素においては、ｃ部の画素に対応する信号線１４ｂに０Ｖが書き込まれることがなく５Ｖのままなので、ｃ部の画素電圧とｃ部の画素に対応する信号線１４ｂに書き込まれている電圧との差は殆どなく、ｃ部の画素のスイッチング素子SWにおけるリーク電流が発生することがない。つまり、ｃ部の画素電圧は低下しない。
【００７６】
したがって、ａ部の画素とｃ部の画素とを比較すると、ｃ部の画素は白色を維持しているが、ａ部の画素が含まれる領域Ａｒ１ａはｃ部の画素を含む領域よりも暗い色になってしまう。
【００７７】
また、ｂ部の画素電圧は、図８に示すように、タイミングｔ５でコモン電圧ＬＣＣＯＭが５Ｖから０Ｖに切り替わると、画素の保持電圧（絶対値）である５Ｖを保持するために、−５Ｖに変化する。ｂ部の位置は、画素部１０の最下部から少し上がった位置なので、タイミングｔ９にて、ｂ部の画素に対応する走査線１２をアクティブ状態とする走査信号の書き込みが行われるまで、ｂ部の画素電圧は−５Ｖを維持することになる。
【００７８】
同様に、ｂ部の画素に対応するｄ部の画素の電圧も、図８に示すように、タイミングｔ５でコモン電圧ＬＣＣＯＭが５Ｖから０Ｖに切り替わると、画素の保持電圧（絶対値）である５Ｖを保持するために、−５Ｖに変化する。ｄ部の位置もｂ部の位置と同様に、画素部１０の最下部から少し上がった位置なので、タイミングｔ９にて、ｄ部の画素に対応する走査線１２をアクティブ状態とする走査信号の書き込みが行われるまで、ｄ部の画素電圧は−５Ｖを維持することになる。
【００７９】
しかしながら、ｂ部の画素に対応する信号線１４ｂには、タイミングｔ５からタイミングｔ７まで、および、タイミングｔ８からタイミングｔ１０までは５Ｖが書き込まれ、タイミングｔ７からタイミングｔ８までは、黒色のウインドウＡｒ２を表示するために、０Ｖが書き込まれる。その結果、ｂ部の画素電圧とｂ部の画素に対応する信号線１４ｂに書き込まれている電圧との差は、タイミングｔ５からタイミングｔ７まで、および、タイミングｔ８からタイミングｔ１０までは１０Ｖとなり、タイミングｔ７からタイミングｔ８までは、５Ｖとなる。その結果、ｂ部の画素のスイッチング素子SWにおけるリーク電流が発生し、ｂ部の画素電圧は低下する。
【００８０】
一方、ｂ部の画素に対応するｄ部の画素の電圧は、ｄ部の画素に対応する信号線１４ｂに５Ｖが書き込まれているため、ｄ部の画素電圧とｄ部の画素に対応する信号線１４ｂに書き込まれている電圧との差が大きくなり、ｄ部の画素のスイッチング素子SWにおけるリーク電流が発生し、ｄ部の画素電圧が低下する。
【００８１】
ここで、ｂ部の画素とｄ部の画素を比較すると、ｂ部の画素に対応する信号線１４ａには、タイミングｔ７からタイミングｔ８の期間、０Ｖの電圧が印加されるので、この期間におけるｂ部の画素電圧とｂ部の画素に対応する信号線１４ａとの電圧差は、ｄ部の画素電圧とｄ部の画素に対応する信号線１４ｂとの電圧差よりも小さくなる。したがって、１フィールド期間を考えると、全体としては、ｂ部の画素におけるリーク電流よりも、ｄ部の画素におけるリーク電流の方が大きくなり、ｄ部の画素電圧がｂ部の画素電圧よりも低くなり、ｄ部の画素が含まれる領域は、ｂ部の画素が含まれる領域Ａｒ１ｂに比べて暗い色になる。
【００８２】
以上のように、プリチャージ信号を印加しない場合には、ａ部の画素とｂ部の画素を含む縦のラインと、ｃ部の画素とｄ部の画素を含む縦のラインとを比べると、互いに対比されるａ部の画素とｃ部の画素との間、および、ｂ部の画素とｄ部の画素との間に、輝度差が生じることになり、いわゆる縦クロストークが生じてしまう。
【００８３】
そこで、−４Ｖの電圧のプリチャージ信号を１Ｈｓの期間ごとに信号線１４に印加すると、信号線１４に対してタイミングｔ７において０Ｖの電圧が書き込まれた場合でも、ａ部の画素に対応する信号線１４ａの電圧と、ａ部の画素電圧との差が小さくなり、ａ部の画素のスイッチング素子SWにおけるリーク電流が減少する。その結果、ａ部の画素とｃ部の画素との輝度差が減少する。また、−４Ｖの電圧のプリチャージ信号を信号線１４に印加すると、ｄ部の画素に対応する信号線１４ｂの電圧と、ｄ部の画素電圧との差が小さくなり、ｄ部の画素のスイッチング素子SWにおけるリーク電流が減少する。その結果、ｂ部の画素とｄ部の画素との輝度差が減少する。このように、−４Ｖの電圧のプリチャージ信号を１Ｈｓの期間ごとに信号線１４に印加すると、縦クロストークの発生を防止することができる。
【００８４】
（上下輝度むらと縦クロストークの最適化）
以上に説明したように、正極性フィールドにおいては、約−４Ｖのプリチャージ信号を１Ｈｓの期間ごとに信号線１４に印加することにより、上下輝度むらを防止し、かつ、縦クロストークの発生を防止することができる。
【００８５】
負極性フィールドにおいては、０Ｖ付近のプリチャージ信号を１Ｈｓの期間ごとに信号線１４に印加すると、縦クロストークの発生を防止することができる。但し、上下輝度むらの防止の観点からは、０Ｖ付近よりも高い電圧、例えば、３Ｖ程度のプリチャージ信号を１期間ごとに信号線１４に印加した方がよい。したがって、負極性フィールドにおけるプリチャージ信号の電圧については、電気光学パネル１００の特性に合わせて、上下輝度むらと縦クロストークの最適化を図ることのできる電圧を実験的に決めるのが良い。具体的には、コモン電圧ＬＣＣＯＭの電圧範囲（０〜５Ｖ）の範囲で負極性フィールドにおけるプリチャージ信号の電圧の最適値を決めることが望ましい。
【００８６】
本実施形態においては、コモン電圧ＬＣＣＯＭが０Ｖの正極性フィールドにおいては、−４Ｖのプリチャージ信号を印加し、コモン電圧ＬＣＣＯＭが５Ｖの負極性フィールドにおいては、０Ｖ付近のプリチャージ信号を印加することにより、上下方向の輝度むらと縦クロストークの両方を解消することができた。
【００８７】
＜第２実施形態＞
本実施形態は、駆動用集積回路２００を、制御回路４０と、データ線駆動回路３１と、Ｘシフトレジスタ４１とにより構成したところが第１実施形態と異なる。図９は電気光学パネル１００及び駆動用集積回路２００の構成を示すブロック図である。図７に示すように、駆動用集積回路２００は、制御回路４０と、データ線駆動回路３１と、Ｘシフトレジスタ４１とを備えている。また、本実施形態においては、デマルチプレクサーの代わりに、配線ブロックＢ［１］〜Ｂ［Ｊ］ごとに、連動してＯＮ／ＯＦＦを行うスイッチ５８［１］〜５８［４］を備えている。
【００８８】
データ線駆動回路３１は、走査線駆動回路２２と協働して、データの書込対象となる画素行毎に供給すべきデータを信号線１５に出力する。データ線駆動回路３１は、制御回路４０から出力される水平同期信号Ｈｓとクロック信号に基づいてラッチ信号を生成し、シリアルデータとして供給されたＮ個の６ビットの表示データ信号を順次ラッチする。表示データ信号は、４画素分ごとにデータとしてグループ化される。また、データ線駆動回路３０には、Ｄ／Ａ（Digital to Analog）変換回路が備えられており、グループ化されたデジタルデータをＤ／Ａ変換し、アナログデータとしての電圧を生成する。これにより、プリチャージ信号は所定のプリチャージ電圧Ｖｐｒｅに変換され、４画素単位で表示データ信号も所定のデータ電圧に変換される。そして、プリチャージ電圧と４画素分のデータ電圧とのセットは、１Ｈｓの期間をＪ等分したタイミングで、信号線１５に供給される。つまり、配線ブロックＢ［１］用のプリチャージ電圧と４画素分のデータ電圧、次に配線ブロックＢ［２］用のプリチャージ電圧と４画素分のデータ電圧という順序で、配線ブロックＢ［Ｊ］用のプリチャージ電圧と４画素分のデータ電圧までの出力を行う。
【００８９】
Ｘシフトレジスタは、制御回路４０から出力される水平同期信号Ｈｓとクロック信号とに基づいて、１Ｈｓの期間をＪ等分したタイミングで、配線ブロックＢ［１］〜配線ブロックＢ［Ｊ］用の選択信号Ｓ１〜ＳＪを選択信号線１６に出力する。選択信号線１６は、スイッチ５８［１］〜５８［４］に接続されており、配線ブロックＢ［１］〜配線ブロックＢ［Ｊ］の順序で、スイッチ５８［１］〜５８［４］を順次ＯＮ状態としていく。なお、次の配線ブロックＢのスイッチ５８［１］〜５８［４］がＯＮ状態とされた場合には、その前の配線ブロックＢのスイッチ５８［１］〜５８［４］はＯＦＦ状態とされる。
【００９０】
このように構成することで、１Ｈｓの期間ごとに、配線ブロックＢ［１］〜配線ブロックＢ［Ｊ］の画素電極６２にプリチャージ電圧とデータ電圧とが書き込まれる。本実施形態においても、コモン電圧ＬＣＣＯＭが０Ｖの正極性フィールドにおいては、−４Ｖのプリチャージ信号が書き込まれ、コモン電圧ＬＣＣＯＭが５Ｖの負極性フィールドにおいては、０Ｖ付近のプリチャージ信号が書き込まれる。したがって、本実施形態においても、コモン電圧ＬＣＣＯＭを反転駆動する場合でも、上下の輝度むらと縦クロストークを解消することができる。
【００９１】
＜変形例＞
本発明は、上述した各実施形態に限定されるものではなく、例えば、以下に述べる各種の変形が可能である。また、各実施形態及び各変形例を適宜組み合わせてもよいことは勿論である。
【００９２】
（１）上述した実施形態においては、画素電極への書込みタイミングよりも前に、信号線にプリチャージ信号を印加する例について説明したが、さらに、図１０に示すように、画素電極への書込みタイミングよりも前に各走査線１２に対する走査信号Ｇ［１］〜Ｇ［Ｍ］を例えば０Ｖから５Ｖに変化させ、スイッチング素子ＳWをＯＮ状態として、プリチャージ信号を画素電極６２へ書き込むようにしてもよい。このように構成した場合でも、電気光学装置１における各画素のＯＮ時間は短いため、プリチャージした電圧によって表示が影響を受けることはなく、プリチャージ信号の効果を確実にすることができる。
【００９３】
（２）上述した実施形態および変形例においては、正極性フィールドでは−４Ｖのプリチャージ信号、負極性フィールドでは０Ｖ付近のプリチャージ信号を信号線１４に書き込む例について説明した。しかし、本発明はこのような例に限定されるものではなく、図１１に示すように、正極性フィールドでは−４Ｖの第１プリチャージ信号の後に、所定の電圧として、例えば２．５Ｖの第２プリチャージ信号を信号線１４に書き込むようにしてもよい。また、負極性フィールドでは、０Ｖ付近の第１プリチャージ信号の後に、所定の電圧として、例えば２．５Ｖの第２プリチャージ信号を信号線１４に書き込むようにしてもよい。このようにすれば、第１プリチャージ信号によって、各フィールドにおいて輝度むらと縦クロストークを解消すると共に、第２プリチャージ信号によって、画素電極６２のデータ電圧の振幅である５Ｖの半分の２．５Ｖの電圧を印加して、画素電極６２に対するデータ電圧の書き込みを容易にすることができる。なお、図１１に示すように、画素電極への書込みタイミングよりも前に各走査線１２に対する走査信号Ｇ［１］〜Ｇ［Ｍ］を例えば０Ｖから５Ｖに変化させ、スイッチング素子ＳWをＯＮ状態としてもよいし、図１２に示すように、第２プリチャージ信号の書き込みタイミングにおいて各走査線１２に対する走査信号Ｇ［１］〜Ｇ［Ｍ］を例えば０Ｖから５Ｖに変化させ、スイッチング素子ＳWをＯＮ状態としてもよい。
【００９４】
（３）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElectroLuminescent）、無機ＥＬや発光ポリマーなどの発光素子を用いた表示パネルや、着色された液体と当該液体に分散された白色の粒子とを含むマイクロカプセルを電気光学材料として用いた電気泳動表示パネル、極性が相違する領域ごとに異なる色に塗り分けられたツイストボールを電気光学材料として用いたツイストボールディスプレイパネル、黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【００９５】
＜応用例＞
この発明は、各種の電子機器に利用され得る。図１３および図１４は、この発明の適用対象となる電子機器の具体的な形態を例示するものである。
【００９６】
図１３は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００９７】
図１４は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００９８】
なお、本発明が適用される電子機器としては、図１、図１３および図１４に例示した機器のほか、携帯情報端末（ＰＤＡ：Ｐｅｒｓｏｎａｌ  Ｄｉｇｉｔａｌ  Ａｓｓｉｓｔａｎｔｓ），デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末，プリンター，スキャナー，複写機，ビデオプレーヤ，タッチパネルを備えた機器等などが挙げられる。
【符号の説明】
【００９９】
１…電気光学装置、１０…画素部、１２…走査線、１４…信号線、１５…信号線、２２…走査線駆動回路、３０，３１…データ線駆動回路、４０…制御回路、４１…シフトレジスタ、５７…デマルチプレクサー、５８…スイッチ、６０…液晶素子、６２…画素電極、６４…コモン電極、６６…液晶、１００…電気光学パネル、２００…駆動用集積回路。
【図１】
2015072328.tif 000003
【図２】
2015072328.tif 000004
【図３】
2015072328.tif 000005
【図４】
2015072328.tif 000006
【図５】
2015072328.tif 000007
【図６】
2015072328.tif 000008
【図７】
2015072328.tif 000009
【図８】
2015072328.tif 000010
【図９】
2015072328.tif 000011
【図１０】
2015072328.tif 000012
【図１１】
2015072328.tif 000013
【図１２】
2015072328.tif 000014
【図１３】
2015072328.tif 000015
【図１４】
2015072328.tif 000016